(57)【要約】  【課題】  ホームページの運営者の負担を軽減しつつ、運営者の意図に沿ったホームページを簡易に作成できるようにすることを課題とする。  【解決手段】  インターネット上に公開されるホームページデータを生成する装置であって、表示すべき１以上の項目からなる複数のデータ群を記憶する表示データ記憶手段と、前記データ群に含まれる１以上の項目を表示するためのフォーマットデータを記憶する表示フォーム記憶手段と、生成されるホームページデータの管理者から前記データ群を構成する１以上の項目を受け付ける項目指定受付手段と、項目指定受付手段により受け付けられた項目に基づいて前記表示データ記憶手段に記憶された前記データ群を配列し、前記フォーマットデータに応じた表示形態で表示する画面データを生成する表示画面生成手段とを有する。【選択図】  図３
2005222517.tif 000002
【特許請求の範囲】
【請求項１】
インターネット上に公開されるホームページデータを生成する装置であって、
表示すべき１以上の項目からなる複数のデータ群を記憶する表示データ記憶手段と、
前記データ群に含まれる１以上の項目を表示するための書式を示すフォームデータを記憶する表示フォーム記憶手段と、
生成されるホームページデータの管理者から前記データ群を構成する１以上の項目を受け付ける項目指定受付手段と、
項目指定受付手段により受け付けられた項目に基づいて前記表示データ記憶手段に記憶された前記データ群を配列し、この配列順に従って前記フォームデータに応じた表示形態で前記データ群に含まれる項目を表示する画面データを生成する表示画面生成手段と
を有するホームページデータ生成装置。
【請求項２】
前記フォーム記憶手段は複数のフォームデータを記憶し、
さらに、
前記管理者から前記フォームデータの指定を受け付けるフォーム指定受付手段を有し、
前記表示画面生成手段は、前記フォーム指定受付手段により受け付けられたフォームデータに応じた表示形態で表示する画面データを生成する
請求項１に記載のホームページデータ生成装置。
【請求項３】
前記フォームデータには、前記データ群を表示するための２種類以上の枠が設定されており、
前記表示画面生成手段は配列された前記データ群の配列順位の高いものが前記フォームデータ中の所定種類の枠に優先的に表示される画面データを生成する
請求項１又は２に記載のホームページデータ生成装置。
【請求項４】
インターネット上に公開されるホームページデータを生成する装置であって、
表示すべき１以上の項目からなる複数のデータ群を記憶する表示データ記憶手段と、
前記データ群に含まれる１以上の項目を表示するための２種類以上の枠が設定されている書式を示すフォームデータを記憶する表示フォーム記憶手段と、
生成されるホームページデータの管理者から１以上の前記データ群の指定を受け付けるデータ群指定受付手段と、
前記フォームデータに応じた表示形態で前記データ群記憶手段に記憶された前記データ群の１以上の項目を表示する画面データであって、前記データ群指定受付手段により受け付けられたデータ群に含まれる項目が前記フォームデータ中の所定種類の枠に優先的に表示される画面データを生成する表示画面生成手段と、
を有するホームページデータ生成装置。
【請求項５】
コンピューターに請求項１から４のいずれか１項に記載のホームページデータ生成装置の機能を実現させるプログラム。
【発明の詳細な説明】
【技術分野】
【０００１】
本発明はインターネット上に公開されるホームページのデータを生成する装置に関し、特に、所定のフォームにデータベース中のデータを表示するホームページデータを生成する装置に関する。
【背景技術】
【０００２】
商品販売や、不動産の仲介などを電子商取引としてホームページを介して行う場合、多くのデータを表示する必要が生じる。商品販売を行うホームページでは、販売者が自らホームページ上に販売したい商品の画像データや属性情報を表示させるようなホームページデータを作成してWWW（World Wide Web）サーバー上に記憶させることが一般的である。不動産の仲介を行うホームページではホームページに連携するプログラムによって、一般消費者からの条件指定に応じた物件をデータベースから抽出して、所定のフォーム上に抽出されたデータを並べることが広く行われる。
【発明の開示】
【発明が解決しようとする課題】
【０００３】
ところで、商品ごとに商品データをホームページ上に表示させるようなデータを作成する場合、運営者の意図どおりに商品を表示させることができるという利点があるが、大変手間がかかり運営者の負担が大きい。一方、不動産の仲介でよく行われるようにデータベースからデーターを抽出して所定のフォーム上に表示させるようにする場合には、運営者の手間は軽減されるが、ホームページを見る一般消費者が指定するキーワードに従ってデータが並べられてしまい、運営者が特に消費者に見て欲しい情報が埋もれてしまう可能性がある。
このような問題に鑑みて、本発明はホームページの運営者の負担を軽減しつつ、運営者の意図に沿ったホームページを簡易に作成できるようにすることを課題とする。
【課題を解決するための手段】
【０００４】
上記課題を解決するために本発明は次のような構成を有する。
請求項１に記載の発明は、インターネット上に公開されるホームページデータを生成する装置であって、表示すべき１以上の項目からなる複数のデータ群を記憶する表示データ記憶手段と、前記データ群に含まれる１以上の項目を表示するための書式を示すフォームデータを記憶する表示フォーム記憶手段と、生成されるホームページデータの管理者から前記データ群を構成する１以上の項目を受け付ける項目指定受付手段と、項目指定受付手段により受け付けられた項目に基づいて前記表示データ記憶手段に記憶された前記データ群を配列し、この配列順に従って前記フォームデータに応じた表示形態で前記データ群に含まれる項目を表示する画面データを生成する表示画面生成手段とを有するホームページデータ生成装置である。
請求項２に記載の発明は、上記ホームページデータ生成装置において、前記フォーム記憶手段は複数のフォームデータを記憶し、さらに、前記管理者から前記フォームデータの指定を受け付けるフォーム指定受付手段を有し、前記表示画面生成手段は、前記フォーム指定受付手段により受け付けられたフォームデータに応じた表示形態で表示する画面データを生成するホームページデータ生成装置である。
請求項３に記載の発明は、上記ホームページデータ生成装置において、前記フォームデータには、前記データ群を表示するための２種類以上の枠が設定されており、前記表示画面生成手段は配列された前記データ群の配列順位の高いものが前記フォームデータ中の所定種類の枠に優先的に表示される画面データを生成する。
【０００５】
請求項４に記載の発明は、インターネット上に公開されるホームページデータを生成する装置であって、表示すべき１以上の項目からなる複数のデータ群を記憶する表示データ記憶手段と、前記データ群に含まれる１以上の項目を表示するための２種類以上の枠が設定されている書式を示すフォームデータを記憶する表示フォーム記憶手段と、生成されるホームページデータの管理者から１以上の前記データ群の指定を受け付けるデータ群指定受付手段と、前記表示データ記憶手段に記憶されたデータ群の少なくとも一部を、前記フォームデータに応じた表示形態で表示する画面データであって、前記データ群指定受付手段により受け付けられたデータ群に含まれる項目が前記フォームデータ中の所定種類の枠に優先的に表示される画面データを生成する表示画面生成手段とを有するホームページデータ生成装置である。
請求項５に記載の発明は、コンピューターに請求項１から４のいずれか１項に記載のホームページデータ生成装置の機能を実現させるプログラムである。
【発明の効果】
【０００６】
請求項１に記載の発明は、ホームページの管理者が指定する項目に応じてデータベース上のデータが配列され自動的にホームページが生成されるので、管理者の負担は少なくなると同時にホームページの閲覧者には管理者が意図した順番で配列された情報を提示することがができる。
請求項２に記載の発明は、管理者が複数のフォームから柔軟に好ましい画面を構成することができる。
請求項３に記載の発明は、特に強調したい情報を示す特別の枠を設け、その枠に指定した項目に合致するデータを表示するようにすることで、さらに管理者が強調したい情報を閲覧者に訴求することができる。
請求項４に記載の発明は、特に強調したい情報を示す特別の枠を設け、その枠に指定した具体的なデータを表示するようにすることで、管理者が強調したい情報を閲覧者に訴求するホームページを管理者の負担を軽減させつつ制作することができる。
請求項５に記載の発明は、一般的なコンピューターによって上記のホームページデータ生成装置を実現することができる。
【発明を実施するための最良の形態】
【０００７】
以下、本発明の実施形態について図面を参照しながら説明する。
図１に実施形態に用いられるネットワークを模式的に示す。このネットワークは、サービスを提供するサービス提供業者が使用するホームページ生成装置Ａを構成するサーバーと、ホームページの管理者となる複数の業者が使用する業者端末装置Ｘと、複数の一般の閲覧者が使用する閲覧者端末装置Ｙとがインターネットによって互いに接続されている。
図２にホームページデータ生成装置Ａのハードウエア構成を模式的に表すブロック図を示す。ホームページデータ生成装置Ａは一般的なコンピューターにより構成され、具体的には演算処理を行うCPU１１、CPUの作業領域となるRAM１２、基本的なプログラムはデータを記録するROM１３、CPUの動作タイミングを取るためのクロック１４、データやプログラムを記憶するためのハードディスク１５、インターネットに接続するためのルーター等のネットワークインターフェース１６などにより構成される。ホームページデータ生成装置Ａはこのような一般的なコンピューターに下記に示すような動作を行わせるプログラムを組み込むことにより実現される。
【０００８】
図３に本実施の形態に係るホームページデータ生成装置Ａの機能を模式的に表す機能ブロック図を示す。ホームページデータ生成装置Ａは、ＨＰデータ記憶部１０１、ＨＰデータ送信部１０２、表示データ記憶部１０３、表示フォーム記憶部１０４、フォーム指定受付部１０５、項目指定受付部１０６、データ群指定受付部１０７、設定データ記憶部１０８、表示画面生成部１０９とを有する。
ＨＰデータ記憶部１０１はホームページの管理者がホームページの構成を設定するためのホームページ情報を記憶する。具体的には後述するフォーム指定画面、表示項目指定画面、編集画面などを記憶している。
ＨＰデータ送信部１０２はホームページの管理者および一般の閲覧者の指示に応じてホームページデータを送信する。
表示データ記憶部１０３は表示すべき１以上の項目からなる複数のデータ群を記憶する。ここでは、中古車情報を記憶するものとし、中古車の画像データ、メーカー、車名、車種、型式等の属性情報を項目として一つのデータ群を構成する。図４（ａ）に表示データ記憶部１０３のレコード内容を模式的に示す。図に示すように各属性情報は、データ群識別子に関連づけて記憶される。また、各データ群識別子は、図４（ｂ）に示すように各データ群が示す中古車を取り扱う事業者を示す事業者識別子に関連付けて記憶される。
表示フォーム記憶部１０４は前記データ群に含まれる１以上の項目を表示するためのフォームデータを記憶する。フォームデータはＨＴＭＬ（hyper text markup language）により表され、ファイル名を付して記憶される。ここでは、５種類のフォームデータを記憶しており、そのうちの、３つには、他の表示枠よりも大きな特選枠が設けられている。この特選枠では画像および文字データも大きく表示されるようになっている。
【０００９】
フォーム指定受付部１０５は設定用のホームページを介して前記管理者から前記フォームデータの指定を受け付ける。
項目指定受付部１０６は設定用のホームページを介して管理者から前記データ群を構成する１以上の項目をソート（配列）する基準として受け付ける。ここでは、項目として１つの項目のみを受け付け、同時に昇順か降順かの指定も受け付ける。その他に、項目指定受付部１０６はデータ群の記憶する項目のうち表示する項目を受け付ける。
データ群指定受付部１０７は、前記管理者から１以上の前記データ群の指定を受け付ける。具体的には表示データの編集画面から特定の中古車を示すデータ群に対してチェックボックスにチェックを入れることで管理者はデータ群を指定し、これが受け付けられる。
設定データ記憶部１０８は、フォーム指定受付部１０５、項目指定受付部１０６により受け付けられたフォームデータのファイル名、項目、データ群等を記憶する。図４（ｃ）に設定データ記憶部１０８のレコード内容を模式的に示す。設定データ記憶部１０８はホームページの管理者を示す事業者識別子に関連付けて、フォームデータファイルのルート、表示項目、ソート指定の有無を示すソート指定フラグ、ソート方式、ソート指定項目などを記憶している。
表示画面生成部１０９は、項目指定受付部１０６により受け付けられた項目に基づいて前記表示データ記憶部１０３に記憶された前記データ群を配列し、フォーム指定受付部１０５により受け付けられた前記フォームデータに応じた表示形態で表示する画面データを生成する。また、フォームデータが特別枠を有する場合には、配列された前記データ群の順位の早いものが前記フォームデータ中の特別枠に優先的に表示されるが、さらに、前記データ群指定受付部１０７により受け付けられたデータ群がある場合は、このデータ群が最優先で特別枠に表示される。この表示画面は一般の閲覧者のコンピューターからの事業者ごとに割り当てられるＵＲＬ（Unique Resource Locator）の送信をＨＰデータ送信部１０２が受けたときに生成され、ＨＰデータ送信部１０２によって当該閲覧者のコンピューターへ送信される。
【００１０】
次に、上記のような構成を有するホームページデータ生成装置Ａの動作について説明する。まず、設定データを管理者から受け付けて記憶する動作について説明する。図５にこの動作を表すフローチャートを示す。なお、既に、表示データ記憶部１０３にはデータ群が記憶されているものとする。
ホームページを設定する管理者は、まず、事業者端末Ｘを介してホームページデータ管理装置Ａに接続し、所定の管理ページを呼び出す。そこで、事業者識別子とパスワードを入力すると、ホームページデータ管理装置Ａがこれを受けつけて設定のための画面データを送信する。図６にホームページを設定するための最初の画面データを示す。この画面はホームページのフォームを指定するためのフォーム指定画面６００である。フォーム指定画面６００では、フォームの内容を示すフォーム画像６０１と、フォームを選択するためのラジオボタン６０２が表示される。管理者はこの画面から使用したいフォームのラジオボタン６０２を選択し、確定するための確定ボタン６０３を選択する。このデータがホームページデータ生成装置Ａのフォーム指定受付部１０５により受け付けられ、設定データ記憶部１０８にフォームデータファイルのルートが管理者を示す事業者識別子に関連付けられて記憶される（ｓ１０１）。
【００１１】
次に、ホームページデータ生成装置Ａは図７に示すような表示項目指定画面７００を管理者の事業者端末Ｘへ送信する。表示項目指定画面７００は、ホームページに表示する項目と、ソートの指定を行うための画面である。表示項目指定画面７００には、使用可能な項目の一覧を示す使用可能項目表示部７０１と、使用可能項目表示部７０１において選択された項目の追加を決定するための追加ボタン７０２と、追加された項目を表示する表示項目表示部７０３が表示されている。表示項目表示部７０３に表示された項目がこの順でホームページで表示されることになる。また、表示項目表示部７０３を編集するために、表示項目表示部７０３において選択された項目を上方もしくは下方に移動させる移動ボタン７０４ａおよび７０４ｂと、表示項目表示部７０３において選択された項目を削除するための削除ボタン７０５が設けられている。そして、ソートを設定するために、表示項目表示部７０３において選択された項目をソートをするための基準として設定するための、ソート指定ボタン７０６と、ソート指定ボタン７０６により設定された項目を表示するソート項目表示部７０７と、ソートを昇順か降順かを選択するためのプルダウンメニュー７０８と、ソートを取り消すためのクリアボタン７０９が設けられている。さらに、設定結果を見るためにプレビューボタン７１０、先のフォーム指定画面６００に戻るためのバックボタン７１１、設定内容を確定するための確定ボタン７１２が設けられている。この画面から管理者は表示させたい項目を使用可能項目表示部７０１から選択して、追加ボタン７０２を選択して、さらに、必要があれば、移動ボタン７０４ａ、７０４ｂ、削除ボタン７０５を用いて、表示項目表示部７０３に表示された項目を編集する。さらに、必要があれば表示項目表示部７０３に表示された項目を一つ選択してソート指定ボタン７０６を選択し、プルダウンメニューから昇順もしくは降順を設定する。設定が完了すると、確定ボタン７１２を選択する。これにより、表示するべき項目とその順番、ソートが指定された場合は、ソートをする項目と昇順、降順の別がホームページデータ生成装置Ａへと送信される。送信されてきた各項目は、ホームページデータ生成装置Ａの項目指定受付部１０６によりを受け付けられ、設定データ記憶部１０８に事業者識別子に関連付けれれて記憶される（ｓ１０２）。また、ソートの指定がされた場合は、ソートをする項目と昇順降順の別が受け付けられ、設定データ記憶部１０８のソート指定フラグが設定され、ソート方式、ソート指定項目が記憶される（ｓ１０３、ｓ１０４）。
【００１２】
ここで、管理者は処理を終了することもできるが、フォームデータとして特選枠を有するものを選択した場合に、特定のデータ群を特選枠に入れたい場合は、図８に示すようなデータ群を編集するための編集画面８００を呼び出す。編集画面８００は表示データ記憶部１０３に記憶されたデータ群の情報を編集するための画面であり、各管理者が管理するデータ群が編集画面８００にすべて表示される。この編集画面８００は各データ群を示すデータ群表示エリア８０１が設けられており、各データ群表示エリア８０１の中には、特選枠を指定するためのチェックボックス８０１ａが設けられている。管理者は特選枠に優先的に表示させたいデータ群がある場合は、チェックボックス８０１ａにチェックを入れて、図示しない確定ボタンを選択することで、変更結果がホームページデータ生成装置Ａへ送られる。送られた結果はデータ群指定受付部１０７により受け付けられ、表示データ記憶部１０３に記憶される（ｓ１０５、ｓ１０６）。
【００１３】
続いて、閲覧者がホームページを閲覧する際の動作について説明する。図９にこの動作を表すフローチャートを示す。まず、閲覧者は閲覧者端末装置Ｙを通じて事業者ごとに割り当てられるＵＲＬを送信してくるので、ＨＰデータ送信部１０２がこれを受けつける（ｓ２０１）。これに応じて表示画面生成部１０９が設定データ記憶部１０８から設定データを読出し、さらに、表示データ記憶部１０３から表示するデータ群を読み出す（ｓ２０２）。ここで、ソート指定フラグが設定されている場合は（ｓ２０３）、ソート項目、降順、昇順の別を判断してデータ群をソートする（ｓ２０４）。次に、設定されているフォームデータに特選枠があるかどうかを判断し（ｓ２０５）、特選枠がない場合は、データ群を順番にフォームデータの枠に挿入していきホームページデータを完成させる（ｓ２０６）、完成したページデータはHPデータ送信部１０２より閲覧者の閲覧者端末装置Ｙへと送信される（ｓ２１４）。ｓ２０５において、特選枠がある場合は、データ群に関して特選枠表示の指定があるかどうかが判断され（ｓ２０７）、指定がない場合は、まず、データ群の順位の高いものから順にフォームデータの特選枠へ挿入し（ｓ２０８）、特選枠が埋まったところで、通常枠に残りのデータ群を挿入していきホームページデータを完成させる（ｓ２０９）。完成したホームページデータはHPデータ送信部１０２より閲覧者の閲覧者端末装置Ｙへと送信される（ｓ２１４）。ｓ２０７においてデータ群の指定がある場合は、まず、指定されたデータ群をフォームデータの特選枠へ挿入する（ｓ２１０）。なお、指定されたデータにおいても順位の高いものから順に挿入される。ここで、特選枠がまだ残っているかどうかが判断され（ｓ２１１）、まだ、残っている場合は、データ群の順位の高いものから残りの特選枠へ挿入する（ｓ２１２）。特選枠が埋まったところで、残りのデータ群を順位に従って通常枠に挿入することでホームページデータを完成させる（ｓ２１３）。完成したホームページデータはHPデータ送信部１０２より閲覧者の閲覧者端末装置Ｙへと送信される（ｓ２１４）。
このような動作によって、閲覧者には管理者が望むようなデータ配列で中古車のデータ群が示されるホームページが送信されることになり、管理者の労力の軽減が図られるとともに、意図に即したホームページが生成できることになる。
【図面の簡単な説明】
【００１４】
【図１】実施の形態に係るホームページデータ生成装置が含まれるネットワークを模式的に示す図である。
【図２】実施の形態に係るホームページデータ生成装置のハードウエア構成を模式的に示すブロック図である。
【図３】実施の形態に係るホームページデータ生成送信装置の機能を模式的に示す機能ブロック図である。
【図４】（ａ）は表示データ記憶部の各データ群を記憶するレコードの内容を模式的に示す図であり、、（ｂ）は表示データ記憶部の事業者ごとのデータ群を記憶するレコードの内容を模式的に示すずであり、（ｃ）は設定データ記憶部のレコードの内容を模式的に示す図である。
【図５】実施の形態に係るホームページデータ生成装置の設定データを管理者から受け付けて記憶する動作を示すフローチャートである。
【図６】フォーム指定画面の一例を示す図である。
【図７】表示項目指定画面の一例を示す図である。
【図８】編集画面の一例を示す図である。
【図９】実施の形態に係るホームページデータ生成装置の閲覧者がホームページを閲覧する際の動作を示すフローチャートである。
【符号の説明】
【００１５】
Ａ        ホームページデータ生成装置
１０１    ＨＰデータ記憶部
１０２    ＨＰデータ送信部
１０３    表示データ記憶部
１０４    表示フォーム記憶部
１０５    フォーム指定受付部
１０６    項目指定受付部
１０７    データ群指定受付部
１０８    設定データ記憶部
１０９    表示画面生成部
【図１】
2005222517.tif 000003
【図２】
2005222517.tif 000004
【図３】
2005222517.tif 000005
【図４】
2005222517.tif 000006
【図５】
2005222517.tif 000007
【図６】
2005222517.tif 000008
【図７】
2005222517.tif 000009
【図８】
2005222517.tif 000010
【図９】
2005222517.tif 000011